(57)【要約】【課題】シート張り、機器の避難移動等の養生作業を必要とせず、埃の飛散、落下のない換気扇掃除器を提供すること。【解決手段】換気扇に付着した埃を吸引するための掃除用ノズル２と、空気吸引機４と、上記掃除用ノズル２と空気吸引機４との間を接続する吸気用ホース３とを有してなり、上記掃除用ノズル２は、埃の落下を防止するための容器状の透明な受けカバー１内に揺動自在に配設されて、上記吸気用ホースと接続されている。上記受けカバー１には、該受けカバー１内において上記掃除用ノズル２を操作して上記換気扇の掃除を行なうための作業口を設けてある。【選択図】図１
2006145175.tif 000002
【特許請求の範囲】
【請求項１】
換気扇に付着した埃を吸引するための掃除用ノズルと、空気吸引機と、上記掃除用ノズルと空気吸引機との間を接続する吸気用ホースとを有してなり、
上記掃除用ノズルは、埃の落下を防止するための容器状の透明な受けカバー内に揺動自在に配設されて、上記吸気用ホースと接続されており、
また上記受けカバーには、該受けカバー内において上記掃除用ノズルを操作して上記換気扇の掃除を行なうための作業口を設けてなることを特徴とする換気扇掃除器。
【請求項２】
請求項１において、上記掃除用ノズルは可撓性ホースを介して上記吸気用ホースに接続されていることを特徴とする換気扇掃除器。
【請求項３】
請求項１又は２において、上記作業口には操作用カバーを設けてなることを特徴とする換気扇掃除器。
【請求項４】
請求項１〜３のいずれか一項において、上記吸気用ホースには、上記受けカバーの近傍に、上記空気吸引機の作動を操作するための吸引操作スイッチを設けてなることを特徴とする換気扇掃除器。
【請求項５】
請求項１〜４のいずれか一項において、上記受けカバーの底部には可撓性パイプが固定され、該可撓性パイプの下端には上記吸気用ホースが、一方該可撓性パイプの上端には上記受けカバー内において上記掃除用ノズルが接続されていることを特徴とする換気扇掃除器。
【請求項６】
請求項１〜５のいずれか一項において、上記受けカバーの側面と上記吸気用ホースとの間には、上記受けカバーを支承するための支柱が介設されていることを特徴とする換気扇掃除器。
【発明の詳細な説明】
【技術分野】
【０００１】
本発明は、換気扇に付着している埃を掃除するための換気扇掃除器に関する。
【背景技術】
【０００２】
図５、図６に示すごとく、老人保護施設内の療養室、オフィス、研究室、家屋、工場等の天井９５には、室内の換気をするため、換気扇９が取付けてある。
この換気扇９は、ダクト９６を通じて換気用ブロワー（図示略）に接続され、室内の空気を吸引している。そのため、換気扇９の入口９１に設けたグレーティング部分９２には、埃９７が付着する。
【０００３】
そこで、この埃９７を取り除く掃除が必要となる。
従来、かかる換気扇９の掃除は、図６に示すごとく、先端にハケ９９１を設けた棒状の掃除具９９を用いて、上記埃９７を静かに取り除いていた。
しかし、埃９７は飛散性があり、また掃除の際にはその一部の塊が室内に落下して、医療機器、測定器等の精密機器、事務机、パソコン、棚等を汚すことがある。
そこで、従来は、図６に示すごとく、上記換気扇の下方にシート９８を張ったり、医療施設等における入院患者の移動、上記の機器、パソコン等の避難移動などの養生をして、埃９７を掃除していた。
【０００４】
しかしながら、このようにシートを張る場合には上記機器やパソコン等の上に直接にシートを置けない場合が多く、これらよりも上方に張るための器具が必要となる。また、埃の飛散や落下の範囲は広いので大きなシートを張る必要もある。
また、上記のように換気扇の下方で換気扇の近く（例えば床上１５０ｃｍ位の空間位置）にシートを張った場合、上記掃除具９９は換気扇の真下から操作することができず、不都合である。
また、上記のごとくパソコン等の避難移動の作業も大変である。
そのため、換気扇の掃除と言えども、長い時間と多くの人工を必要としている。
【０００５】
なお、換気扇の入口部にフィルタを設けることも提案されている（特許文献１）。しかし、この場合には、フィルターの交換が必要となると共に通気性が低下し換気機能が低下する。
【０００６】
【特許文献１】特開１１−１９７４２８号公報
【発明の開示】
【発明が解決しようとする課題】
【０００７】
本発明は、かかる従来の問題点に鑑み、シート張り、機器の避難移動等の養生作業を必要とせず、埃の飛散、落下のない換気扇掃除器を提供しようとするものである。
【課題を解決するための手段】
【０００８】
本発明は、換気扇に付着した埃を吸引するための掃除用ノズルと、空気吸引機と、上記掃除用ノズルと空気吸引機との間を接続する吸気用ホースとを有してなり、
上記掃除用ノズルは、埃の落下を防止するための容器状の透明な受けカバー内に揺動自在に配設されて、上記吸気用ホースと接続されており、
また上記受けカバーには、該受けカバー内において上記掃除用ノズルを操作して上記換気扇の掃除を行なうための作業口を設けてなることを特徴とする換気扇掃除器にある（請求項１）。
【０００９】
本発明の換気扇掃除器を用いて、換気扇の掃除を行なうに当っては、まず上記受けカバーを掃除しようとする換気扇の下に位置させる。そして、空気吸引機を作動させて上記吸気用ホースを通じて上記掃除用ノズルから空気を吸引する。
このとき、上記受けカバーに設けた上記作業口から受けカバー内に作業者の手を入れて上記ノズルを持ち、掃除用ノズルを換気扇に近づけて、換気扇に付着している埃を掃除用ノズルから吸引する。
掃除用ノズルは、換気扇における掃除所望部分へ適宜移動させる。即ち、換気扇の吸込口のグレーティング部分或いは吸気用ファンなどへ掃除用ノズルを近づけて埃を吸引する。
【００１０】
また、このとき上記掃除用ノズルの先端部分の位置及び換気扇の位置は、上記受けカバーが透明な材料で作ってあるため、その位置を容易に透視し、確認できる。そのため、掃除作業は、極めて容易である。
また、掃除作業中に、上記掃除用ノズルに吸引されず、落下した埃は容器状の受けカバー内に収容される。そのため、従来のごときシート、避難移動等の養生は必要がない。
【００１１】
また、換気扇の下方の上記空間位置にシート張りを行なう必要がないので、上記の埃の吸引掃除作業を、換気扇の真下近くで行なうことができる。
そのため、掃除作業が楽であると共に換気扇の掃除を確実に行なうことができる。
このように、本発明によればシート張り、機器の避難移動等の養生作業を必要とせず、埃の飛散、落下のない換気扇掃除器を提供することができる。
【発明を実施するための最良の形態】
【００１２】
本発明において、上記受けカバーは、その内側に配設された掃除用ノズルが視認できる透明な材料を用いて作製する。かかる材料としては、例えばアクリル樹脂、ＰＥＴ（ポリエチレンテレフタレート）樹脂などの透明な樹脂を用いる。
また、上記掃除用ノズルは、固いものであっても可撓性を有するものであってもよい。上記空気吸引機としては、例えば電機掃除機を用いることもできる。この場合には、吸引した埃を回収することができる。
【００１３】
上記吸気用ホースは、上記受けカバーを移動させ易くするため、可撓性を有することが好ましい。
また、上記吸気用ホースは、保管、運搬上の便宜等の点より、受けカバー側と、空気吸引機側とに２分割するように構成することもできる。
上記作業口は、受けカバーの側面或いは底部など、掃除作業時に掃除用ノズルを把持、操作し易い場所に設ける。
【００１４】
次に、上記掃除用ノズルは可撓性ホースを介して上記吸気用ホースに接続されていることが好ましい（請求項２）。
この場合には、受けカバー内において掃除用ノズルを操作し易い。
また、可撓性ホースとしては、ゴムホース、ジヤバラ式ホース等がある。
【００１５】
次に、上記作業口には操作用カバーを設けてなることが好ましい（請求項３）。
この場合には、作業口に挿入した作業員の腕部分の汚れを防止できると共に、作業口から埃が洩れることを防止できる。
【００１６】
次に、上記吸気用ホースには、上記受けカバーの近傍に、上記空気吸引機の作動を操作するための吸引操作スイッチを設けてなることが好ましい（請求項４）。
この場合には、天井近くの高所で掃除作業をする作業員が、上記吸引操作スイッチにより任意に空気吸引機の作動、停止のリモートコントロールを行なうことができる。これにより、例えば老人療養施設、入院室、オフィス等において、空気吸引機の作動に伴なう騒音を最少限とすることができる。
【００１７】
次に、上記受けカバーの底部には可撓性パイプが固定され、該可撓性パイプの下端には上記吸気用ホースが、一方該可撓性パイプの上端には上記受けカバー内において上記掃除用ノズルが接続されていることが好ましい（請求項５）。
この場合には、受けカバーを任意の方向に、若干づつ傾斜させ易くなり、換気扇の直下に受けカバーを位置させることが容易となる。
【００１８】
次に、上記受けカバーの側面と上記吸気用ホースとの間には、上記受けカバーを支承するための支柱が介設されていることが好ましい（請求項６）。
この場合には、上記支柱によっても上記受けカバーを支承できるので、受けカバーをより安定して換気扇の近傍へ位置させることができる。
【実施例】
【００１９】
（実施例１）
本発明の実施例にかかる、換気扇掃除器につき、図１及び図２を用いて説明する。
本例の換気扇掃除器は、図１に示すごとく、換気扇に付着した埃を吸引するための掃除用ノズル２と、空気吸引機４と、上記掃除用ノズル２と空気吸引機４との間を接続する吸気用ホース３とを有してなる。
【００２０】
上記掃除用ノズル２は、埃の落下を防止するための容器状の透明な受けカバー１内に揺動自在に配設されて、上記吸気用ホース３と接続されている。
また、上記受けカバー１には、該受けカバー１内において上記掃除用ノズル２を操作して上記換気扇の掃除を行なうための作業口１６を設けてなる。
【００２１】
また、上記掃除用ノズル２は、図２に示すごとく、先端部が口細になったパイプである。該掃除用ノズルはゴム製の可撓性ホース２１を介して、吸気用ホースの一部である可撓性パイプ３１の上端部に着脱可能に連結してある。
上記可撓性パイプ３１は、その上端部を受けカバー１の底部１１よりも内側へ突出させて、受けカバー１の底部１１に固定してある。
【００２２】
上記受けカバー１は、その側面１２に作業口１６を開口させてあり、該作業口１６には受けカバー１の内方に向けて布製の操作用カバー１５が設けてある。
受けカバー１は、透明なアクリル樹脂で作製してある。
また、上記受けカバー１の底部１１に固定した可撓性パイプ３１の下端には吸気用ホース３が接続されており、吸気用ホース３の先端には継ぎ手パイプ３２を有する。
また、吸気用ホース３の継ぎ手パイプ３２は、空気吸引機４側に接続した吸気用ホース３３の接続パイプ３３１と連結するよう構成してある。つまり、吸気用ホースは受けカバー１側と空気吸引機４側とに２分割してある。
【００２３】
また、上記吸気用ホース３には、上記受けカバー１の近くに吸引操作スイッチ５を固定してある。該吸引操作スイッチ５はリード線５１、５２を介して、電気掃除器を用いた空気吸引機４に接続してある。リード線５１と５２とは、コネクター５１１、５２１を介して、分離可能に連結してある。
また、上記リード線５１は吸気用ホース３に内蔵されている。
上記吸気用ホース３、３３は、ジャバラパイプ製で可撓性を有する。
【００２４】
本例の換気扇掃除器を用いて、換気扇９の掃除を行なうに当っては、まず受けカバー１の底部１１に固定した可撓性パイプ３１を持ち、図２に示すごとく、上記受けカバー１を掃除しようとする換気扇９の下に位置させる。そして、空気吸引機４を作動させて上記吸気用ホース３を通じて上記掃除用ノズル２から空気を吸引する。
このとき、上記受けカバー１に設けた上記作業口１６から、受けカバーに設けた操作用カバー１５内に作業者の手を入れて、その先にある上記掃除用ノズル２を持つ。そして、掃除用ノズル２を換気扇９に近づけて、換気扇９のグレーティング９２に付着している埃９７を掃除用ノズル２の先端口から吸引する。
【００２５】
掃除用ノズル２は、換気扇９における掃除所望部分へ適宜移動させる。
即ち、掃除用ノズル２を、図２に示すごとく換気扇９のグレーティング９２に近づけたり、或いは図３に示すごとく、換気扇９のシロッコファン８１に近づけて、これらに付着している埃９７を吸い取る。
なお、図３において、符号８２は電動モータである。
【００２６】
また、このとき上記掃除用ノズル２の先端部分の位置及び換気扇９の位置は、上記受けカバー１が透明な材料で作ってあるため、上記グレーティング９２やシロッコファン８１などの位置を容易に透視し、確認できる。そのため、掃除作業は、極めて容易である。
また、掃除作業中に、上記掃除用ノズル２に吸引されずに落下した埃９７は容器状の受けカバー１内に収容される。そのため、従来のごときシート張り、避難移動等の養生は必要がない。
【００２７】
また、シート張りを行なわないので、上記の埃９７の吸引掃除作業を、換気扇９の真下近くで行なうことができる。
そのため、掃除作業が楽であると共に換気扇９の掃除を確実に行なうことができる。
このように、本例によればシート張り、機器の避難移動等の養生作業を必要とせず、埃の飛散、落下のない換気扇掃除器を提供することができる。
【００２８】
また、掃除用ノズル２は可撓性ホース２１を介して吸気用ホースに接続してあるので、受けカバー１内において掃除用ノズル２を操作し易い。
また、上記作業口１６には操作用カバー１５を設けてある。そのため、作業口１６に挿入した作業員の腕部分の汚れを防止できると共に、作業口１６から埃９７が洩れることを防止できる。
【００２９】
また、上記吸気用ホース３には上記受けカバー１の近傍に、吸引操作スイッチ５を設けてある。
そのため、天井近くの高所で掃除作業をする作業員が、上記吸引操作スイッチ５により任意に空気吸引機４の作動、停止のリモートコントロールを行なうことができる。これにより、例えば老人療養施設、入院室、オフィス等において、空気吸引機４の作動に伴なう騒音を最少限とすることができる。
【００３０】
次に、上記受けカバー１の底部１１には可撓性パイプ３１が固定され、該可撓性パイプ３１の下端には上記吸気用ホース３が、一方該可撓性パイプ３１の上端には上記受けカバー１内において上記掃除用ノズル２が接続されている。
そのため、受けカバー１を任意の方向に、若干づつ傾斜させ易くなり、換気扇９の直下に受けカバー１を位置させることが容易となる。
【００３１】
（実施例２）
本例は、図３に示すごとく、上記受けカバー１の側面１２と上記吸気用ホース３との間に、上記受けカバーを支承するための支柱１９を介設した例である。
この場合には、上記支柱１９によっても上記受けカバー１を支承できるので、受けカバー１をより安定して換気扇９の近傍へ位置させることができる。
その他は、実施例１と同様である。
【図面の簡単な説明】
【００３２】
【図１】実施例１における、換気扇掃除器の全体説明図。
【図２】実施例１における、受けカバー付近及び換気扇掃除の説明図。
【図３】実施例１における、シロッコファンの掃除の説明図（Ａ）、及びシロッコファンの説明図（Ｂ）。
【図４】実施例２における、受けカバー付近の説明図。
【図５】天井に配置された換気扇の説明図。
【図６】従来の換気扇掃除の説明図。
【符号の説明】
【００３３】
１  受けカバー
１５  操作用カバー
２  掃除用ノズル
２１  可撓性ホース
３  吸気用ホース
４  空気吸引機
５  吸引操作スイッチ
８１  シロッコファン
９  換気扇
９２  グレーティング
９７  埃
【図１】
2006145175.tif 000003
【図２】
2006145175.tif 000004
【図３】
2006145175.tif 000005
【図４】
2006145175.tif 000006
【図５】
2006145175.tif 000007
【図６】
2006145175.tif 000008